(57)【特許請求の範囲】
【請求項１】
投与対象の物質を収めたカートリッジを中に受け入れるように構成された注射器であって、
ハウジングと、
前記ハウジングに移動可能に取り付けられており、開放端と、前記開放端を通して中に前記カートリッジを受け入れる内溝とを含むカートリッジドアと、
前記注射器の少なくとも一つの電動要素に電力を与える電源と、
前記少なくとも一つの電動要素に前記電源を導通させる電源回路と、
前記電源の接点と前記電源回路の接点との間に挟まれている第１状態から、前記電源の接点と前記電源回路の接点との間から離脱することで前記電源を前記電源回路に接続して前記少なくとも一つの電動要素に電力を与える第２状態へ移動可能な絶縁アームと
を備え、
前記カートリッジドアは、前記開放端を前記ハウジングで隠すことによって前記カートリッジが前記内溝の中に挿入されるのを防ぐ全閉位置と、前記開放端がそれを通して前記カートリッジを前記内溝の中に受け入れるように十分に開放されている全開位置との間で移動可能であり、
前記絶縁アームは前記カートリッジドアに結合しており、前記カートリッジドアが全閉位置にあるときには前記第１状態に位置し、前記カートリッジドアが前記全閉位置から前記全開位置へと移動するのに伴って前記第２状態へ移動する
ことを特徴とする注射器。
【請求項２】
前記絶縁アームは、前記第１状態から前記第２状態へ移動すると、その後に続く前記カートリッジドアの移動にかかわらず前記第２状態に留まる、請求項１に記載の注射器。
【請求項３】
前記電源の接点と前記電源回路の接点とのうち少なくとも一つは、方向を変えることのできる指を含み、
前記指には、対向する接点に接触する自然な位置があり、
前記絶縁アームが前記第１状態にあるときには、前記指の方向が前記自然な位置から離れ、
前記絶縁アームが前記第２状態へ移動したときには、前記指の方向が前記自然な位置へ戻る、
請求項１または請求項２に記載の注射器。
【請求項４】
前記指は自由端を含み、前記自由端は、そこから離れるにつれて前記対向する接点から離れる方向に傾斜しており、前記絶縁アームは、前記第２状態から前記第１状態へ向かって移動すると前記指の傾斜に沿って摺動し、前記指と前記対向する接点との間に再び入り込むのを避ける、
請求項３に記載の注射器。
【請求項５】
前記カートリッジドアが前記全開位置にあるとき、前記絶縁アームが前記第２状態に到達する、請求項１から請求項４までのいずれか一項に記載の注射器。
【請求項６】
前記カートリッジドアが前記ハウジングに回転可能に取り付けられており、前記カートリッジドアと共に前記絶縁アームが、前記第１状態から前記第２状態へ回転可能である、請求項１から請求項５までのいずれか一項に記載の注射器。
【請求項７】
前記絶縁アームが前記ハウジングの中に恒久的に取り付けられている、請求項１から請求項６までのいずれか一項に記載の注射器。
【請求項８】
前記カートリッジドアに付勢力を加えて、前記カートリッジドアを前記全開位置へ押す付勢部材
を更に備えた、請求項１から請求項７までのいずれか一項に記載の注射器。
【請求項９】
前記付勢部材の付勢力の下で前記カートリッジドアが前記全開位置に到達するのを妨げる妨害位置に位置するアーム
を更に備え、
前記アームは、前記付勢力に加えて力を受けると、前記妨害位置から方向を変えることができ、それにより前記カートリッジドアが前記全開位置に到達するのを可能にする、
請求項８に記載の注射器。
【請求項１０】
前記カートリッジドアが側壁に窓を含み、前記アームが前記妨害位置にあるときには前記窓に捕らえられるように位置し、前記アームが前記付勢力に加えて力を受けると、前記窓から外れるように方向を変えることができ、前記カートリッジドアが前記全開位置に到達することができるようにする、請求項９に記載の注射器。
【請求項１１】
注射器用のパッケージであって、前記注射器が中に位置するとき、前記付勢部材の付勢力に抗して、前記カートリッジドアを前記全閉位置に維持するように構成されたパッケージ
と組み合わされた、請求項８から請求項１０までのいずれか一項に記載の注射器。
【発明の詳細な説明】
【技術分野】
【０００１】
本発明は、カートリッジ装填型注射器の全般に関し、特に、使用者が注射器を使用する準備を整えるまで注射器の電源を落としておくように構成されているものに関する。
【背景技術】
【０００２】
たとえば薬用注射器のような注射器には、典型的には、薬剤等、投与対象の物質を中に収めたカートリッジが装填される。典型的には、注射器は、その電動要素に電力を供給する電源を内蔵している。注射器が組み立て後、使用者によって長期間、持ち運びも使用もされない場合、電源には注射器が使われる前に放電してしまうおそれがある。それ故、従来の注射器は、直に除去可能なプルタブで電源を遮断している。このプルタブは、注射器に電源が投入される前に、使用者によって除去されなければならない。
【０００３】
使用者によって除去可能なプルタブの欠点の一つは、使用者によっていちいち引っ張られなければならないことにある。プルタブを探して引っ張ることは必ずしも使いやすいものではないので、誤操作を招きかねない。さらに、単独で除去可能なプルタブを利用することは、注射器を作動させて使うのには余分な段階を使用者に踏ませることに繋がる。
【０００４】
それ故、使用者が注射器を使おうとするまで電源を落としておく一方、注射器の使用の準備のために使用者に踏ませるべき段階の数を減らした注射器を製造することには利点があるだろう。
【発明の概要】
【０００５】
簡単に述べれば、本発明の一つの観点による注射器は、投与対象の物質を収めたカートリッジを中に受け入れるように構成されている。この注射器はハウジングと、このハウジングに移動可能に取り付けられたカートリッジドアとを含む。このカートリッジドアは、開放端と、この開放端を通して中にカートリッジを受け入れる内溝とを含む。カートリッジドアは全閉位置と全開位置との間で移動可能である。全閉位置では、開放端がハウジングで隠されることにより、カートリッジが内溝の中に挿入されることが防止される。全開位置では、開放端を通してカートリッジが内溝の中に受け入れられるように、開放端が十分に開放される。電源は、注射器の少なくとも一つの電動要素に電力を与えるのに使われる。電源回路は少なくとも一つの電動要素に電源を導通させる。絶縁アームは第１状態から第２状態へ移動可能である。第１状態では、絶縁アームが電源の接点と電源回路の接点との間に挟まれている。第２状態では、絶縁アームが電源の接点と電源回路の接点との間から離脱することで電源を電源回路に接続して、少なくとも一つの電動要素に電力を与える。絶縁アームはカートリッジドアに結合しており、カートリッジドアが全閉位置にあるとき、最初は第１状態に位置し、カートリッジドアが全閉位置から全開位置へと移動するのに伴って第２状態へ移動する。
【図面の簡単な説明】
【０００６】
本発明の観点について以下に述べる詳細な説明は、添付の図面と共に読まれた場合によく理解されるであろう。しかし、示されている正確な配置および手段に発明が限定されないことは理解されるべきである。
【０００７】
【図１】本発明の実施形態による、パッケージの中に置かれた装着型注射器の上面を表す斜視図である。
【図２】図１の注射器の上面図である。注射器の上面は除去されており、全閉位置にある空のカートリッジドアと、第１状態にある注射器の絶縁部材とが示されている。
【図２Ａ】図２の注射器の選択された要素の斜視図である。全閉位置にあるカートリッジドアと、第１状態にある絶縁部材とが示されている。
【図３】図１の注射器の上面図である。注射器の上面は除去されており、全開位置にある空のカートリッジドアと、第２状態にある注射器の絶縁部材とが示されている。
【図３Ａ】図３の注射器の選択された要素の斜視図である。全開位置にあるカートリッジドアと、第２状態にある絶縁部材とが示されている。
【図４】図１の注射器の部分斜視図である。注射器の上面は除去されており、カートリッジドアは半開／半閉位置にある。
【図５】図１の注射器の上面図である。注射器の上面は除去されている。カートリッジドアの中にはカートリッジが装填され、カートリッジドアは全閉位置に戻っている。注射器の絶縁部材は第２状態のままである。
【図５Ａ】図５の注射器の選択された要素の斜視図である。全閉位置にあるカートリッジドアと、第２状態にある絶縁部材とが示されている。
【図６】図１の注射器の電源回路の模式図である。電源の少なくとも一つの接点と電源回路の少なくとも一つの接点との間に絶縁部材が挟まれている。
【発明を実施するための形態】
【０００８】
以下の記述では、単に便宜上、ある種の用語が使われるが、限定的なものではない。「下側」、「底」、「上側」、「上」という語は、参照される図面において方向を示す。「内側へ」、「外側へ」、「上方へ」、「下方へ」という語はそれぞれ、本発明による注射器およびその特定の部品群の幾何学的中心へ向かう方向と、その中心から離れる方向とを意味する。以下、特に示されない限り、「ある」、「一つの」、「その」という語は、一つの要素には限られず、「少なくとも一つの」を意味するものと読まれるべきである。これらの列挙された語、それらの派生語、および類義語が用語には含まれる。
【０００９】
以下、発明の要素の寸法または特性に関して使われる、「約」、「近似的に」、「一般に」、「実質的に」等の語は、記述されている寸法／特性が厳密な境界値ではなく、そこからの小さな変動（機能的には同様な程度のもの）を排除するものではない。このことも理解されるべきである。少なくとも、記述に数値パラメータが含まれる場合、それらの数値には、技術分野において許容されている数学的、かつ工業的な原理を用いた、最下位の数字が変わらない程度の変動（たとえば、丸め誤差、測定誤差、その他の系統誤差、製造上の許容範囲）が含まれている。
【００１０】
図面では、それらの全体を通して、同様な数字は同様な要素を表す。図面を詳細に参照すると、図１−図６には、本発明の実施形態による注射器（一般には１０で指定されている。）が示されている。描かれている実施形態では、注射器１０は装着型注射器（パッチ注射器）の形をしている。非限定的な例では装着型の薬用注射器であるが、発明はそれには限定されない。注射器１０はパッケージ５０（図１参照。）の中に入れられて使用者へ届けられる。これについては後にさらに詳しく説明する。
【００１１】
当業者には理解されるであろうように、注射器１０は一般にハウジウング１２を含む。ハウジング１２には、使用者（たとえば患者）の皮膚面（図示せず。）に接触する第１面１４がある（図４に最もよく示されている）。この第１面１４には開口１４ａがある。描かれている実施形態では、第１面１４はハウジング１２の底面を定めている。しかし、発明はそれには限定されない。ハウジング１２は、第１面１４に対向する第２面１６も含む（図１参照）。描かれている実施形態では、第２面１６はハウジング１２の外面のうち上面を定めている。しかし、本発明はそれには限定されない。当業者には理解されるべきであるように、注射針１５がハウジング１２の中に移動可能に取り付けられており、後退位置（図４参照。）と注射位置（図示せず。）との間で移動可能である。後退位置では、少なくとも注射針１５の先端がハウジング１２の中に収まっている。注射位置では、少なくとも注射針１５の先端が、ハウジング１２から開口１４ａを通して使用者の皮膚（図示せず。）の中へ突き出している。
【００１２】
注射器１０は、密封されたカートリッジ６０（図５参照。）を中に受け入れるように構成されている。カートリッジ６０には、薬剤等の物質（図示せず。）が収められている。カートリッジ６０は一端がピストン６０ａによって密封されており、他端が、穴を開けることのできる隔膜６０ｂによって密封されている。カートリッジ６０を注射器１０の中に入れた後（または、入れている間）、カートリッジ６０は封が解かれ、当業者には周知の方法で（隔膜６０ｂに穴を開けることにより）注射針１５と連通する。これにより、カートリッジ６０の中の物質が注射針１５を通して使用者に投与される。注射器のドア１８は全閉位置（図１−図２Ａ参照。）と全開位置（図３、図３Ａ参照。）との間で移動可能にハウジング１２に取り付けられている。注射器のドア１８は、注射器１０の中にカートリッジ６０を受け入れるように開くことができる。描かれている実施形態ではドア１８はカートリッジドアの形をしているが、本発明はこれには限定されない。カートリッジドア１８は、それを通してカートリッジ６０を、たとえば摺動可能に受け入れるための開放端１８ａと、中にカートリッジ６０を受け入れる内溝１８ｂとを含む。内溝１８ｂは、その中にカートリッジ６０を収めて安定化させる寸法と形とをしていてもよい。その他に、内溝１８ｂは、カートリッジクレードル、カートリッジトラック、独自の安定化部材、またはそれらの組み合わせ等（図示せず。）を含み、カートリッジ６０を内溝１８ｂの中に受け入れて安定化させてもよい。
【００１３】
カートリッジドア１８が少なくとも部分的に閉じた位置にあるとき（図４参照。）、内溝１８ｂには、中にカートリッジ６０を入れられるほど、ハウジング１２の外から十分には手が届かない。たとえば、描かれている実施形態では、カートリッジドア１８の開放端１８ａがハウジング１２の一部により、内溝１８ｂに手が届かないように十分に隠され／覆われているので、内溝１８ｂの中にカートリッジ６０を入れることができない。カートリッジドア１８が全開位置にあるときには（図３参照。）、カートリッジドア１８の開放端１８ａが十分に顕わになり／開放されているので、それを通して内溝１８ｂの中にカートリッジ６０を入れることができる。
【００１４】
描かれている実施形態では、カートリッジドア１８がハウジング１２に、たとえばピン接続２０によって、回転可能に取り付けられている。その取付位置は、内溝１８ｂの開放端１８ａとは反対側に位置する閉じた先端の近くであるが、本発明はこれには限定されない。図１と図２とに最もよく示されているように、カートリッジドア１８は、全閉位置にあるときには、ハウジング１２の外側に対して実質的に平坦である。図３に示されているように、カートリッジドア１８は開位置にあるときには、ハウジング１２から離れる方向に回転している。これにより、内溝１８ｂにはカートリッジドア１８の開放端１８ａから手が届く。ハウジング１２に移動可能に取り付けられたカートリッジドア１８の他の非限定的な例としては、米国特許出願公開第２０１８／０１５２２８１号（表題“Cartridge Insertion For Drug Delivery Device”）に記述されたものがある。その内容の全体がここでは参照されるべきである。
【００１５】
付勢部材３２はハウジング１２の中に取り付けられており、カートリッジドア１８を全開位置に向かって押すように構成されている。描かれている実施形態では、付勢部材３２は、ハウジング１２の不動部材と可動なカートリッジドア１８の部材との間に取り付けられたねじりばねの形をしている。すなわち、ねじりばね３２は一端がハウジング１２に接触しており、他端がカートリッジドア１８に接触している。カートリッジドア１８が閉位置にあるとき、ねじりばね３２は少なくとも部分的に圧縮されており、ねじれ量に比例する位置エネルギーを蓄積している。ねじりばね３２への抑制が解かれると（詳細は後述する。）、ねじりばね３２が伸び、すなわちそのねじれが緩むので、カートリッジドア１８が全開位置へ向かって移動する。描かれている実施形態では、ねじりばね３２の螺旋形状の中心がピン接続２０のまわりに取り付けられているが、他の位置でもよい。当業者には理解されるべきであるように、付勢部材３２は、エネルギーを蓄積して開放することのできる他の部材の形態をしていてもよい。非限定的な例としては他のばね（たとえばコイルばね、または板ばね）がある。その他に、付勢部材３２は注射器１０には使われなくてもよい。カートリッジドア１８は全閉位置と全開位置との間を手動で移動可能であってもよい。
【００１６】
ある実施形態では、注射器１０が、方向を柔軟に変えることのできる片持ち梁３４を更に含んでいてもよい。片持ち梁３４は、ハウジング１２に付いている固定端３４ａから、フランジが付いた自由端３４ｂまで伸びている。ある実施形態では、片持ち梁３４はハウジング１２と一体に、すなわち、単一かつモノリシックに形成されている。その他に、片持ち梁３４はハウジング１２とは別に形成された上でハウジング１２に固定されていてもよい。カートリッジドア１８はその側壁に窓１８ｃを含む。この窓１８ｃは片持ち梁３４と横並びになっている。
【００１７】
カートリッジドア１８が閉位置にある場合、内溝１８ｂにカートリッジ６０がまだ装填されていないときには、片持ち梁３４は窓１８ｃを通して内溝１８ｂの中へ伸びている（図２参照）。片持ち梁３４がこのような妨害位置にあるとき、付勢部材３２の力のみではカートリッジドア１８が全開位置へ到達するのが妨げられる。すなわち、付勢部材３２が空のカートリッジドア１８を全閉位置（図２参照。）から全開位置へ向かって押すが、片持ち梁３４が内溝１８ｂの中に突出しているので、片持ち梁３４のフランジの付いた端３４ｂが窓１８ｃに引っ掛かり（図４参照。）、付勢部材３２の付勢力だけではカートリッジドア１８が全開位置までは移動できない。片持ち梁３４が妨害位置にあるとき、付勢部材３２の付勢力だけではカートリッジドア１８が半開／半閉位置までしか到達しない（図４参照）。しかし、片持ち梁３４は、付勢部材３２の付勢力に加えて、カートリッジドア１８の全開位置に向かう力を受けると、窓１８ｃとの引っ掛かりが外れることで、すなわち、フランジの付いた端３４ｂが窓１８ｃから外れること（図３参照。）で、妨害位置から方向を変えることができる。これにより、カートリッジドア１８が全開位置まで到達することができる。たとえば、使用者が手でカートリッジドア１８を全開位置に向かって引っ張り、片持ち梁３４を窓１８ｃから外してもよい。
【００１８】
当業者には理解されるべきであるように、注射器１０は制御器２４（図６に模式的に示されている。）を更に含む。制御器２４はたとえばプロセッサであり、注射器１０と電源２６との動作を管理して、制御器２４と注射器１０の他の電動要素に電力を供給させる。描かれている実施形態では電源２６は電池であるが、本発明はこれには限定されない。電源回路２８（図６に模式的に示されている。）は電池２６を制御器２４と注射器１０の他の電動要素とに導通させる。たとえば、電源回路２８は電池２６を注射器１０の駆動機構（図示せず。）にも接続してもよい。その駆動機構はピストン６０ａにカートリッジ６０の中を移動させて、カートリッジ６０から物質を押し出させるように構成されている。
【００１９】
示されているように、絶縁部材２２は最初は第１状態に位置しており（図２、図２Ａ、図４参照。図６には模式的に示されている。）、電源２６の少なくとも一つの（正か負かの）接点２６ａと、電源回路２８の少なくとも一つの接点２８ａ（電源の接点２６ａとは逆極性のもの）との間に挟まれている。これにより、電源２６が電源回路２８から電気的に遮断されている（したがって、制御器２４と他の注射器の要素とには電力が供給されない）。それ故、注射器１０の使用前では電源２６の放電が防止される。絶縁部材２２は第２状態へ移動可能である（図３、図３Ａ、図５参照）。第２状態では、絶縁部材２２が電源２６の少なくとも一つの接点２６ａと電源回路２８の少なくとも一つの接点２８ａとの間から離脱し、電源２６を電源回路２８に導通させ、制御器２４を含む注射器の要素に電力を供給する。
【００２０】
描かれている実施形態では、図２Ａ−図５に示されているように、絶縁部材２２が、カートリッジドア１８に機械的に結合した、高分子材料からなるアームの形をしている。しかし、理解されるべきであるように、絶縁部材２２は、現在知られている、または後に知られるようになる他の絶縁物質から構成されていてもよい。絶縁アーム２２はカートリッジドア１８に、当業者には周知の方法で固定されていてもよい。すなわち、アーム２２はカートリッジドア１８の運動、たとえば回転に伴って運動し、たとえば回転する。その他に、アーム２２はカートリッジドア１８と一体に、すなわち単一で、かつモノリシックに形成されていてもよい。
【００２１】
カートリッジドア１８が最初に全閉位置にあるとき、アーム２２がまず第１状態に位置しているように、形、寸法、傾き、またはそれらの組み合わせが構成されている（図２、図２Ａ参照）。カートリッジドア１８が全閉位置から全開位置へ向かって最初に移動すると、アーム２２は第２状態へ移動するようにも構成されている（図３、図３Ａ参照）。詳細は後述されるように、絶縁アーム２２は第１状態から第２状態へ移動すると、第２状態のままで残る。すなわち、カートリッジドア１８が続けて動いたとしてもそれにかかわらず、電源２６を電源回路２８から再び遮断することがない。描かれている実施形態では、図３に示されているように、カートリッジドア１８が全開位置へ最初に到達したとき、アーム２２は第２状態に到達するように構成されている。しかし、理解されるべきであるように、カートリッジドア１８が全開位置へ到達する前に、たとえば、カートリッジドア１８が半開位置に到達すると、アーム２２が第２状態へ到達するように構成されていてもよい。
【００２２】
一つの構成では、電源回路２８の接点２８ａは、方向を柔軟に変えることのできる指３０を少なくとも一本含む（描かれている実施形態では指３０が２本であるが、本発明はこれには限定されない）。指３０には自然な位置、すなわち方向が変わっていない位置がある。その位置では、指３０が電源２６の接点２６ａに接触している（図３Ａ参照）。しかし、当業者には理解されるべきであるように、その他に、電源２６の接点２６ａが、方向を柔軟に変えることのできる指を含み、その指には、電源回路２８の接点２８ａと接触する自然な位置があってもよい。（図３Ａ、図５Ａに対して）図２Ａに最もよく示されているように、指３０と接点２６ａとの間に挟まれた第１状態のアーム２２により、指３０は自然な位置から方向を柔軟に変える。方向の変化は弾性的であるので、絶縁アーム２２が第２状態へ移動して、接点２６ａ、２８ａの隙間にもはや戻らなければ、指３０は自然な位置へ戻って接点２６ａと接触する。当業者には理解されるべきであるように、指３０による弾性的な方向の変化は、指の材料、寸法、またはそれらの組み合わせによって達成されてもよい。一つの実施形態では、指３０は、方向を柔軟に変えることのできる金属から構成されていてもよい。
【００２３】
図２Ａ、図３Ａ、図５Ａに最もよく示されているように、指３０は、固定端３０ａから自由端３０ｂまで伸びている片持ち梁である。自由端３０ｂは、そこから固定端３０ａへ向かって接点２６ａから離れる方向に傾斜を定めている。したがって、カートリッジドア１８が全閉位置から全開位置へ移動する間にアーム２２が第１状態（図２、図２Ａ参照。）から第２状態（図３、図３Ａ参照。）へ移動した後では、指３０が、方向の変わった位置から自然な位置へ移動し、接点２６ａに接触する。引き続いて、カートリッジドア１８が全閉位置へ戻っても、すなわち、アーム２２が第２状態から第１状態へ向かって移動しても、アーム２２は（方向の変わっていない、自然な位置にある）指３０の傾斜した端部３０ｂに沿って指３０の上に滑り上がるので、指３０と接点２６ａとの間に再び入り込むことが避けられる（図５、図５Ａ参照）。
【００２４】
使用の際、注射器１０はまず、カートリッジドア１８が全閉位置にあり、絶縁アーム２２が第１状態にある状態で使用者へ届けられてもよい。その他に、絶縁アーム２２が第１状態にある程度にカートリッジドア１８が十分に閉じた位置にある状態で、注射器１０が使用者へ届けられてもよい。絶縁アーム２２を最初に第１状態に位置させることにより、注射器の使用前、たとえば輸送中および／または保管中における電源２６の放電が防止される。カートリッジドア１８を開位置へ押すのに付勢部材３２が使われる場合、付勢部材３２の力に抗して注射器のパッケージ５０がカートリッジドア１８を全閉位置に維持してもよい（図１参照）。しかし、理解されるべきであるように、現在知られている、または後に知られるようになる他の機構により、カートリッジドア１８が全閉位置に置かれてもよい。一つの例として、取り外し可能な直線部材（図示せず。）がカートリッジドア１８とハウジング１２との位置の上に置かれて、ドア１８が閉位置に維持されるようにされてもよい。その他に、カートリッジドア１８が、たとえば全閉位置にロックされてもよい（付勢部材３２は有っても無くてもよい）。
【００２５】
カートリッジドア１８が、たとえば付勢部材３２によって開位置へ向かって押される場合、注射器１０をパッケージ５０から外すことにより、付勢部材３２がカートリッジドア１８を全閉位置から全開位置へ移動させることが可能になる。片持ち梁３４が注射器１０で使われている場合、この片持ち梁３４は、（すでに説明したように、）カートリッジドア１８が全開位置へ到達するのを阻み、カートリッジドア１８を半閉／半開位置に維持する（図４参照）。半閉／半開位置では、図４に示されているように、絶縁アーム２２が第１状態に留まっている。すなわち、絶縁アーム２２は、接点２６ａ、２８ａの間に挟まれない位置へは十分には移動していない。半閉／半開位置では、カートリッジ６０が内溝１８ｂの中にまだ入っていない。したがって、使用者が注射器１０を使う準備をしているとき、使用者がカートリッジドア１８を引っ張って、片持ち梁３４の方向を妨害位置から外し、カートリッジドア１８を全開位置へ移動させる（図３参照）。その他に、カートリッジドア１８が開位置へ押されていない場合、使用者がカートリッジドア１８を全閉位置から全開位置へ手で移動させてもよい。たとえば、限定するつもりはないが、注射器１０が使用者へ最初に届けられたときにカートリッジドア１８が全閉位置にある場合、カートリッジドア１８に取り付けられたプルタブ（図示せず。）が使用されてもよい。この場合、使用者はそのプルタブでカートリッジドア１８を引っ張って開けてもよい。プルタブの使用が１回限りであり、カートリッジドア１８が最初に全閉位置から全開位置へ移動した後は、プルタブがカートリッジドア１８から分離されてもよい。その他に、カートリッジドア１８が半開状態で注射器１０が使用者へ届けられてもよい。この場合、使用者は、注射器の使用を準備する際、カートリッジドア１８の突起部分を掴んでカートリッジドア１８を全開させてもよい。
【００２６】
カートリッジドア１８が全開位置にあるとき、絶縁アーム２２は第２状態に移動して、電源２６を電源回路２８に導通させ、制御器２４を含む注射器の要素に電力を供給する。制御器２４に電力が一旦供給されると注射器１０は作動する。必須ではないが、制御器２４に電源が投入された際、まず自己点検を行うように、制御器２４が構成されていてもよい。この自己点検は、注射器１０の少なくとも一つの要素の操作可能性についてのものであり、注射器１０が正しく機能して使用の準備を整えるか否か、および／または、カートリッジ６０がカートリッジドア１８の中に入れられたときに使用者に通知をするか否かを調べるものである。たとえば、可聴音、視覚的目印、および／またはそれらの組み合わせが、注射器１０の準備が整ったこと、または注射器１０の異常を知らせてもよい。
【００２７】
好ましくは、絶縁部材２２がハウジング１２の中に恒久的に取り付けられている。すなわち、注射器１０を分解しない限り、絶縁部材２２を注射器１０から取り外すことができない。絶縁部材２２はまた、使用者からは見えないか、直には触れない。それ故、使用者が注射器１０の使用の準備を整えて、カートリッジドア１８を全開位置へ故意に動かしたときにしか、絶縁アーム２２は第２状態へ移動することができない。したがって、使用者が注射器１０の使用の準備を整えるまで電源２６は保存されるので、電源が早期に放電する危険性が低減する。更に好ましくは、注射器１０を作動させてその使用の準備を整えるために使用者が踏むべき段階が減る。すなわち、使用者はカートリッジドア１８を開いて中にカートリッジ６０を入れることと、注射器１０の電源を入れることとの両方を一度にすることができる。注射器１０の作動とその使用の準備とに必要とされる使用者の動作の数が減ることで、注射器１０は使用者にとって扱いやすいものとなり、誤使用の可能性が低減する。
【００２８】
カートリッジドア１８が全開位置にあるとき、カートリッジ６０を内溝１８ｂの中に入れることができる。その後、カートリッジドア１８が全閉位置へ戻されてもよい（図５参照）。前に説明したように、カートリッジドア１８が全閉位置へ戻るのにかかわらず、絶縁部材２２は第２状態のままで残るので、電源２６は電源回路２８に導通したままであって、注射器の電動要素に電力を供給し続ける。カートリッジ６０が装填されてドア１８が閉じられた後、当業者にはよく理解されている方法で、制御器２４が駆動機構にピストン６０ａをカートリッジ６０内で移動させて、カートリッジ６０から注射針１５を通して注射器１０の外へ物質を押し出させてもよい。
【００２９】
本発明の広い概念から外れることなく上記の実施形態に変更を加えることが可能であることは、当業者には評価されるであろう。一つの例として、絶縁部材２２はプルタブに接続されていてもよい。別の例として、絶縁部材２２は電源回路２８の機械スイッチの形をしていてもよい。このように、本発明は、開示された特定の実施形態には限定されない。添付の請求の範囲が与えられている本発明の精神と範囲との中で行われる変更にも、本発明は及ぶものである。
【図１】
0006852220.tif 000002
【図２】
0006852220.tif 000003
【図２Ａ】
0006852220.tif 000004
【図３】
0006852220.tif 000005
【図３Ａ】
0006852220.tif 000006
【図４】
0006852220.tif 000007
【図５】
0006852220.tif 000008
【図５Ａ】
0006852220.tif 000009
【図６】
0006852220.tif 000010